【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
ａ）有機ボランアミン錯体；
ｂ）遊離基重合によって重合可能なオレフィン性不飽和を有する１種又はそれ以上のモノマー、オリゴマー若しくはポリマー；
ｃ）シロキサン主鎖及び重合可能な反応性部分を有する１種又はそれ以上の化合物、オリゴマー又はプレポリマー；並びに
ｄ）シロキサン主鎖及び重合可能な反応性部分を有する１種又はそれ以上の化合物、オリゴマー又はプレポリマーの重合用触媒
を含んでなる重合性組成物。
【請求項２】
更に、重合開始が望まれるまで、錯体の解離を引き起こす化合物を前記錯体と別々に保持し且つシロキサン主鎖を有する１種又はそれ以上の化合物、オリゴマー又はプレポリマーの重合用触媒を、シロキサン主鎖を有する１種又はそれ以上の化合物、オリゴマー又はプレポリマーと別々に保持するシロキサン主鎖及び重合可能な反応性部分を有する１種又はそれ以上の化合物、オリゴマー又はプレポリマー重合用触媒を含む請求項１に記載の重合性組成物。
【請求項３】
前記組成物が、ｂ）オレフィン性不飽和を有する１種又はそれ以上のモノマー、オリゴマー又はポリマー及びｃ）シロキサン主鎖を有する１種又はそれ以上の化合物、オリゴマー又はプレポリマーの両方と反応性である化合物をさらに含む請求項１又は２に記載の組成物。
【請求項４】
シロキサン主鎖を有する前記の１種又はそれ以上の化合物、オリゴマー又はプレポリマーが、シラノール縮合可能な反応性部分；反応性ビニル部分；水素化物官能価；又はヒドロキシ官能価を更に含む請求項１〜３のいずれか１項に記載の組成物。
【請求項５】
遊離基重合によって重合可能なオレフィン性不飽和を有する1種又はそれ以上のモノマー、オリゴマー又はポリマーから得られた1種又はそれ以上のポリマー並びにシロキサン主鎖及び重合可能な反応性部分を有する1種又はそれ以上の化合物、オリゴマー又はプレポリマーから得られた1種又はそれ以上の第２の型のポリマーを含む、請求項１〜４のいずれか１項に記載の組成物から得られる重合組成物。
【請求項６】
オレフィン不飽和を有するモノマー、オリゴマー又はポリマーから得られるポリマーの一部が、シロキサン主鎖を有する１種又はそれ以上の化合物、オリゴマー又はプレポリマーから得られるポリマーの一部に、両方の型のポリマーと反応する化合物によって共有結合させられた請求項５に記載の重合組成物。
【請求項７】
アルキル及びシクロアルキルからそれぞれ別個に選ばれた３個の配位子を有するボランとアミノシロキサンを含んでなる錯体。
【請求項８】
前記錯体が、式：
【化１】
2006522206.tif 000001
［式中、Ｂは硼素であり；
Ｒ2は、それぞれ別個に、Ｃ1〜Ｃ10アルキル、Ｃ3〜Ｃ10シクロアルキルであるか、又はＲ2の２つ又はそれ以上が結合して、脂環式環を形成してもよく；
Ｒ11は、それぞれ独立に、水素、アルキル、アルコキシ、アルケニル、アルミルアミノであるか、又は式（（ＣＲ14Ｈ）rＯ）n−（ＮＲ4）−（ＣＨ2）o−ＮＨ2に対応するが、少なくとも一つのＲ11は第１級アミンであり；
Ｒ12は、それぞれ独立に、水素、アルキル、アリール、アルコキシであるか、又は１個又はそれ以上の第１級、第２級又は第３級アミンを更に含むことができ；
Ｒ14は、それぞれ別個に、水素又はアルキルであり；
Ｒ4は、水素、Ｃ1〜Ｃ10アルキル、Ｃ6〜Ｃ10アリール又はＣ7〜Ｃ10アルカリールであり；
ａは１〜１０の数であり；
ｂは０〜１の数であり；
ｍは、それぞれ別個に、１又はそれ以上の自然数であり；
ｐは、それぞれ別個に、１〜３の整数であり；
ｑは、それぞれ別個に、１〜２の整数であり、各珪素原子におけるｐとｑの合計は３であり；
ｎは、それぞれ別個に、４〜４００の整数であり；
ｏは、それぞれ別個に、１〜９の整数であり；
ｒは、それぞれ別個に、２〜４の整数である］
の１つに対応する請求項７に記載の錯体。
【請求項９】
ａ）有機ボランアミン錯体；
ｂ）遊離基重合によって重合可能なオレフィン性不飽和を有する１種又はそれ以上のモノマー、オリゴマー又はポリマー；及び
ｃ）主鎖中にシロキサン基を有し且つ湿分への暴露時に有機ボランアミン錯体を脱錯化可能な酸を形成する部分
を含む化合物を含んでなる重合性組成物。
【請求項１０】
化合物ｃ）が有機ボランアミン錯体を脱錯化可能な酸を形成するような条件下で大気中湿分に前記組成物を暴露することを含んでなる、請求項９に記載の組成物を重合する方法。
【請求項１１】
有機ボランアミン錯体が解離され且つ反応性化合物、オリゴマー又はプレポリマーの重合を開始する温度に前記組成物を暴露する請求項１に記載の組成物を重合する方法。
【請求項１２】
前記組成物の２液を接触させる請求項２に記載の組成物を重合する方法。
【請求項１３】
請求項１に記載の組成物を含んでなる接着剤組成物。
【請求項１４】
請求項２に記載の組成物を含んでなる接着剤組成物。
【請求項１５】
２つの基材を、これらの間に配置された請求項１３に記載の組成物と接触させ且つ接着剤を硬化させることを含んでなる、２つの基材の接着方法。
【請求項１６】
２つの基材を、これらの基材間に配置された請求項１４に記載の組成物と接触させ且つ接着剤を硬化させることを含んでなる、２つの基材の接着方法。
【請求項１７】
Ａ）ヒドロキシを末端基とするシロキサンを、アクリレート樹脂中に分散されたテトラアルコキシシリケートと、有機錫又はチタネート触媒の存在下において、アクリレート中に分散されたシロキサンポリマーが製造されるような条件下で反応させ；
Ｂ）アクリレート樹脂中に分散された、シロキサンをベースとするポリマーを、有機ボランアミン錯体と接触させ；
Ｃ）工程Ｂの組成物を、錯体を解離させる化合物の有効量と接触させ；
Ｄ）２つの基材を、それらの基材間に配置された、工程Ｃに係る組成物と接触させ、そして接着剤を硬化させる
ことを含んでなる２つの基材の接着方法。
【手続補正２】
【補正対象書類名】明細書
【補正対象項目名】００５１
【補正方法】変更
【補正の内容】
【００５１】
Ｒ12は、それぞれ独立に、Ｈ、アルキル、アリール、アルコキシであり、さらに１個又はそれ以上の第１級、第２級又は第３級アミンを含むことができる。Ｒ12がアルコキシ、第２級又は第３級アミンである実施態様において、式１２で表される化合物は、式２で表される化合物と同様な分子内水素結合がなされることができる。これによって、より安定性の高い錯体が形成されることが可能になる。好ましくは、Ｒ12は、それぞれ別個に、水素、Ｃ1〜Ｃ20アルキル、Ｃ6〜Ｃ20アリール又はＣ1〜Ｃ20アルコキシであり、最も好ましくはＣ1〜Ｃ4アルキル、Ｃ6〜Ｃ12アリール又はＣ1〜Ｃ4アルコキシである。好ましくは、Ｒ13は、それぞれ独立に、Ｃ1〜Ｃ20アルキル又は水素であり、最も好ましくはＣ1〜Ｃ4アルキル又は水素である。Ｒ14は好ましくは水素又はアルキルである。好ましくは、Ｒ14は水素又は低級アルキル、より好ましくは水素又はＣ1〜Ｃ6アルキル、さらに好ましくは水素、メチル又はエチル、最も好ましくは水素又はメチルである。ｐは、それぞれ別個に、１〜３の数であり、ｑは、それぞれ別個に、１〜２の整数であり、各珪素部分におけるｐとｑの合計は３である。好ましくは、ｐは２である。ｎは、それぞれ別個に、１００又はそれ以下、より好ましくは６０又はそれ以下、最も好ましくは５０又はそれ以下の整数である。ｏは１又はそれ以上、より好ましくは３又はそれ以上、最も好ましくは４又はそれ以上の整数である。ｏは９又はそれ以下、より好ましくは７又はそれ以下、最も好ましくは５又はそれ以下の整数である。ｒは２〜４の整数である。